(57)【要約】【課題】共通の原稿に対して異なる条件で画像を読み取った場合において生成される複数の画像ファイルにおいて、ユーザーが設定の違いを容易に識別できる。【解決手段】制御部１０は、原稿読取部１１によって上記の２次元画像データが得られる度に、これを所定の形式の画像ファイルとして記憶部１３に記憶させる。この際のファイル名は、制御部１０によって付与される。ここでは、ファイル名は共にファイル名を構成しうる文字情報である主ファイル名と設定識別コードとが組み合わされて構成される。設定識別コードは、原稿読取部１１におけるパラメーター設定の内容に応じて定められ、共通するヘッダーとして「＿」が用いられる。【選択図】図１
2019169858.tif 000002
【特許請求の範囲】
【請求項１】
原稿における画像を光学的に読み込んで画像ファイルを生成する原稿読取手段と、前記画像ファイルを記憶する記憶手段とが用いられ、外部の機器から前記画像ファイルがアクセス可能とされた画像読取装置であって、
前記原稿読取手段において、前記画像を光学的に読み込み前記画像ファイルを生成する際の条件を設定するパラメーターが調整可能とされ、
前記画像ファイルが前記原稿読取手段によって生成された際の前記パラメーターの設定に対応する文字情報である設定識別コードを、前記画像ファイルのファイル名の一部に含ませて、前記画像ファイルを前記記憶手段に記憶させる制御手段を具備することを特徴とする画像読取装置。
【請求項２】
前記原稿読取手段において、複数の項目で前記パラメーターが調整可能とされたことを特徴とする請求項１に記載の画像読取装置。
【請求項３】
前記原稿読取手段において、前記項目の各々で初期状態となる前記パラメーターが予め設定され、
前記制御手段は、前記パラメーターが前記初期状態から変更されない前記項目についての前記設定識別コードは、前記ファイル名の一部に含ませないことを特徴とする請求項２に記載の画像読取装置。
【請求項４】
前記原稿読取手段において、前記項目における前記パラメーターが変更されて前記画像ファイルが前記記憶手段に記憶される動作が繰り返し行われる際に、
前記制御手段は、新たに前記画像ファイルを生成して当該画像ファイルを前記記憶手段に記憶させる際に、直前に記憶された前記画像ファイルを生成した場合と前記パラメーターが同一である前記項目についての前記設定識別コードは、前記ファイル名の一部に含ませないことを特徴とする請求項２に記載の画像読取装置。
【請求項５】
前記原稿読取手段において、同一の前記原稿に対して前記項目における前記パラメーターが変更されて前記画像ファイルが前記記憶手段に記憶される動作が繰り返し行われる際に、
前記制御手段は、ユーザー又は前記制御手段によって設定された文字情報である主ファイル名に前記設定識別コードを付加して、前記動作が行われる際に前記記憶手段に記憶される複数の前記画像ファイルの前記ファイル名とすることを特徴とする請求項３又は４に記載の画像読取装置。
【請求項６】
前記制御手段は、前記主ファイル名の後に前記設定識別コードを順次付加して前記ファイル名とすることを特徴とする請求項５に記載の画像読取装置。
【請求項７】
前記制御手段は、使用される全ての前記設定識別コードにおいて、先頭の文字として共通のヘッダーを用いることを特徴とする請求項６に記載の画像読取装置。
【発明の詳細な説明】
【技術分野】
【０００１】
本発明は、画像を読み取り電子ファイル化したデータ（画像ファイル）を生成する画像読取装置に関する。
【背景技術】
【０００２】
用紙上に画像を形成して出力する印刷機能と共に、用紙（原稿）上に形成された画像を光学的に読み取って電子ファイル化した画像データ（画像ファイル）を生成するスキャナー機能を具備する複合機（ＭＦＰ：Ｍｕｌｔｉ  Ｆｕｎｃｔｉｏｎ  Ｐｒｉｎｔｅｒ）が用いられている。スキャナー機能においては、原稿が光学的に走査（スキャン）される際にＣＣＤ等の撮像素子を用いて画像が光学的に読み取られ、読み取られた画像は、ＪＰＥＧ、ＢＭＰ、ＴＩＦＦ等、様々な形式の画像データとして、複合機内の記憶装置（ハードディスク、不揮発性メモリ等）に記憶される。一般的には、このように得られた画像ファイルは、この複合機以外の機器で利用するために取得される場合が多い。このため、ネットワークを介してこの複合機と接続されたパーソナルコンピューターや、ＵＳＢメモリ等を介して外部の機器で、この画像ファイルを読み込み、利用することができる。
【０００３】
このような画像ファイルは、原稿のスキャンが行われる度に作成されて記憶装置に記憶される。この際、画像ファイルの名前（ファイル名）は、重複することがないように、複合機の制御部が付与する。例えば、この名前として、この複合機において画像ファイルが取得された順序に対応したシリアル番号や、スキャンが行われた日時に対応した数字等が用いられる。また、このファイルの拡張子は、この画像ファイルの形式に対応させ、例えば画像ファイルがＪＰＥＧ形式であれば「．ＪＰＥＧ」等とされる。
【０００４】
また、例えばパーソナルコンピューター等において、このような画像ファイルに対して様々な加工（画像処理）を施す場合がある。こうした場合において、元となった画像ファイルは共通であるが加工の内容が異なる複数の画像ファイルを生成し、記憶させる必要がある場合がある。こうした場合において、これらの複数の画像ファイルは、加工内容が異なるが元となった画像ファイルが共通のものであるために共通のグループに属するとして扱うことが好ましい。特許文献１に記載の技術においては、こうした場合に、加工後の画像ファイルが共通のグループに属するという状況がユーザーにとって明らかとなるようなファイル名が加工後の画像ファイルに対して自動的に付与される。この際に、画像処理を施す複数のジョブが実行される場合には、ジョブの実行順に対応する番号がファイル名に対して付加される。
【先行技術文献】
【特許文献】
【０００５】
【特許文献１】特開２００４−１０２６００号公報
【発明の概要】
【発明が解決しようとする課題】
【０００６】
スキャナー機能においては、例えば画像の色（カラー／白黒）の設定や、解像度（ｄｐｉ）の設定等、画像の読み取り時において、多くの項目についてパラメーターが設定される。このため、同一の原稿に対して、こうしたパラメーターを変えて多くの画像ファイルを得た上で、ユーザーがパーソナルコンピューターを用いて各画像ファイルの画像を目視でチェックし、最適な設定をみつけるという作業が行われる場合も多い。
【０００７】
このような場合には、加工前における複数の画像ファイルについても、特許文献１に記載の技術と同様に、画像ファイルをグループ化し、これらの画像ファイルが共通の原稿を読み込んだものである旨が明確となるようなファイル名を付与することが好ましい。
【０００８】
仮に特許文献１に記載の技術を拡張してこの場合に適用した場合、画像ファイルの識別のために用いられるのは、画像ファイルを入手した（スキャンを行った）順序に対応した番号となる。こうした場合には、ユーザーは、こうしたファイル名が付与された画像ファイルが、共通の原稿を異なる設定で読み込んだものであることは容易に認識できるが、各画像ファイルにおける設定の違いを認識することは、ファイル名だけからは困難であった。この違いを認識するためには、例えばユーザーが各画像ファイルを取得した際の設定を外部にメモ書きする等の作業が必要となった。
【０００９】
このため、共通の原稿に対して異なる条件で画像を読み取った場合において生成される複数の画像ファイルにおいて、ユーザーが設定の違いを容易に識別できることが望まれた。
【００１０】
本発明はこのような状況に鑑みてなされたものであり、上記課題を解決できる技術を提供することを目的とする。
【課題を解決するための手段】
【００１１】
本発明の画像読取装置は、原稿における画像を光学的に読み込んで画像ファイルを生成する原稿読取手段と、前記画像ファイルを記憶する記憶手段とが用いられ、外部の機器から前記画像ファイルがアクセス可能とされた画像読取装置であって、前記原稿読取手段において、前記画像を光学的に読み込み前記画像ファイルを生成する際の条件を設定するパラメーターが調整可能とされ、前記画像ファイルが前記原稿読取手段によって生成された際の前記パラメーターの設定に対応する文字情報である設定識別コードを、前記画像ファイルのファイル名の一部に含ませて、前記画像ファイルを前記記憶手段に記憶させる制御手段を具備することを特徴とする。
本発明の画像読取装置は、前記原稿読取手段において、複数の項目で前記パラメーターが調整可能とされたことを特徴とする。
本発明の画像読取装置は、前記原稿読取手段において、前記項目の各々で初期状態となる前記パラメーターが予め設定され、前記制御手段は、前記パラメーターが前記初期状態から変更されない前記項目についての前記設定識別コードは、前記ファイル名の一部に含ませないことを特徴とする。
本発明の画像読取装置は、前記原稿読取手段において、前記項目における前記パラメーターが変更されて前記画像ファイルが前記記憶手段に記憶される動作が繰り返し行われる際に、前記制御手段は、新たに前記画像ファイルを生成して当該画像ファイルを前記記憶手段に記憶させる際に、直前に記憶された前記画像ファイルを生成した場合と前記パラメーターが同一である前記項目についての前記設定識別コードは、前記ファイル名の一部に含ませないことを特徴とする。
本発明の画像読取装置は、前記原稿読取手段において、同一の前記原稿に対して前記項目における前記パラメーターが変更されて前記画像ファイルが前記記憶手段に記憶される動作が繰り返し行われる際に、前記制御手段は、ユーザー又は前記制御手段によって設定された文字情報である主ファイル名に前記設定識別コードを付加して、前記動作が行われる際に前記記憶手段に記憶される複数の前記画像ファイルの前記ファイル名とすることを特徴とする。
本発明の画像読取装置において、前記制御手段は、前記主ファイル名の後に前記設定識別コードを順次付加して前記ファイル名とすることを特徴とする。
本発明の画像読取装置において、前記制御手段は、使用される全ての前記設定識別コードにおいて、先頭の文字として共通のヘッダーを用いることを特徴とする。
【発明の効果】
【００１２】
上記の構成により、共通の原稿に対して異なる条件で画像を読み取った場合において生成される複数の画像ファイルにおいて、ユーザーに設定の違いを容易に識別させることができる。
【図面の簡単な説明】
【００１３】
【図１】本発明の実施の形態に係る画像読取装置の構成を示すブロック図である。
【図２】本発明の実施の形態に係る画像読取装置における動作を示すフローチャートの一例である。
【発明を実施するための形態】
【００１４】
以下、本発明を実施するための形態について図面を参照して説明する。実施の形態となる画像読取装置１は複合機であり、原稿（用紙）上に形成された画像を光学的に読み取る原稿読取部１１を具備する。原稿読取部（原稿読取手段）１１においては、原稿において読み取られるべき面の側に設けられ、走査方向に垂直な方向が長手方向とされたスリットが設けられた移動枠体が用いられ、スリットに対応した１次元画像がＣＣＤ等を用いて移動枠体の移動（走査）に伴って得られることにより、原稿の２次元画像データが得られる。こうした点については、例えば特開２０１３−１８３１９９号公報に記載されたものと同様である。また、読み取られるべき原稿を、ユーザーによって設置された箇所から上記のような読取動作を適正に行わせるために適正な箇所に移動させる原稿搬送部１２も設けられる。
【００１５】
制御部１０は、上記の動作を制御するためのＣＰＵを具備する。また、制御部（制御手段）１０は、上記のようにＣＣＤ等を用いて得られた２次元画像データを、画像ファイルとして記憶部（記憶手段）１３に記憶させる。こうした動作は、ユーザーによるタッチパネルディスプレイ１４の操作によって制御される。また、ネットワークを介して外部の機器（例えばパーソナルコンピューター）と通信するためのインターフェースとなるネットワーク接続部１５、ＵＳＢ端子を介して外部機器と接続するためのインターフェースとなる入出力部１６が設けられる。なお、この画像読取装置１は複合機であるために、用紙に画像を形成して出力する機能（印刷機能）、ファクシミリ機能等も具備するが、これらの機能は本願発明とは無関係であるために、図１においては、これらにのみ関わる構成要素の記載は省略されている。
【００１６】
制御部１０は、原稿読取部１１によって上記の２次元画像データが得られる度に、これを所定の形式（ＪＰＥＧ、ＢＭＰ、ＴＩＦＦ等）の画像ファイルとして記憶部１３に記憶させる。この形式は、ユーザーによるタッチパネルディスプレイ１４の操作により指定される。また、この際のファイル名は、後述するように制御部１０によって付与される。記憶部１３がネットワーク接続部１５、入出力部１６を介して外部の機器からアクセスされるため、この画像ファイルを外部の機器から読み出すことが可能となる。複数の画像ファイルが記憶部１３に記憶されている場合には、ユーザーは、そのファイル名によってこれらを識別することができる。
【００１７】
また、原稿読取部１１が上記の画像ファイルを生成する（２次元画像を得る）にあたり、各種のパラメーター設定が行われる。このパラメーターとしては、例えば色（カラー／白黒／グレースケール）の選択、画像の向き（ｐｏｒｔｒａｉｔ／ｌａｎｄｓｃａｐｅ）の選択、解像度（ｄｐｉ単位）の設定等がある。これらのパラメーター設定はタッチパネルディスプレイ１４の操作により行われ、これによって画像ファイルにおける画質やデータ容量が定まるため、画像ファイルの使用目的等によって、ユーザーがこれらを適宜設定することができる。ただし、これらのパラメーターは、デフォールト（初期条件）となる設定が予めなされており、ユーザーがこれらを変更するための操作を行わない場合には、デフォールトの設定で画像ファイルが生成される。ユーザーがタッチパネルディスプレイ１４を操作して設定変更するパラメーターを選択して変更する操作を行うことによって、変更後のパラメーターが新たに設定される。
【００１８】
生成された画像ファイルにおけるこれらの設定が使用目的に応じて適正であるか否かは、例えばユーザーが記憶部１３から外部のパーソナルコンピューターにこの画像ファイルを取り込み、ユーザーがこのパーソナルコンピューターのディスプレイでこの画像ファイルによる画像を確認した上で行われる場合が多い。こうした場合には、対象となる原稿が原稿読取部１１に載置された状態で、上記のパラメーター設定あるいはその組み合わせを変えた複数の条件で原稿読取部１１を駆動させて複数の画像ファイルを作成して記憶部１３に記憶させ、これらの画像ファイルを全て同時に外部のパーソナルコンピューターに取り込み、ここで比較することが好ましい。また、これによって、最適な条件を更に絞り込んだ上で再度画像データを取得するという作業を行う場合もある。
【００１９】
こうした場合においては、各画像ファイルとこれを得た際の原稿読取部１１のパラメーター設定とを対応付けることが必須である。この際、画像ファイルのファイル名は重複がないように制御部１０によって設定することが可能であり、ユーザーは、画像ファイルのファイル名や、ファイルプロパティにおけるその取得時刻から、画像ファイルが生成された順序を認識することができる。一方、従来は、この際の原稿読取部１１の設定（各項目におけるパラメーター）は、原稿読取部１１を動作させた際にタッチパネルディスプレイ１４上で表示されたパラメーターを予めメモしておくこと等によって認識していた。
【００２０】
ここで、この画像読取装置１においては、制御部１０は、こうした場合において、上記の設定が反映されるようなファイル名を各画像ファイルに付与する。このため、ユーザーは、ファイル名を認識することによって、この画像ファイルにおける上記の設定を認識することができる。
【００２１】
このような制御部１０の動作について具体的に説明する。ここでは、ファイル名は共にファイル名を構成しうる文字情報である主ファイル名と設定識別コードとが組み合わされて構成される。また、ファイル形式に対応した拡張子として、例えば画像ファイルがＪＰＥＧ形式の場合には「．ＪＰＥＧ］、ビットマップ形式の場合には「．ＢＭＰ」、ＴＩＦＦ形式の場合には「．ＴＩＦＦ」が用いられることは、従来と同様であり、ファイル形式の選択はタッチパネルディスプレイ１４により行われる。以下では、拡張子としては「．ＪＰＥＧ」が用いられるものとする。
【００２２】
上記のように同一の原稿に対して複数の異なる設定で画像ファイルを連続して生成した際には、上記の主ファイル名は共通とされる。主ファイル名の具体的名称は、制御部１０が例えば日時等を用いて生成してもよく、タッチパネルディスプレイ１４を操作することによってユーザーが設定してもよい。複数の画像ファイルが共通の原稿によるものであることは、これらの画像ファイルが生成された間に原稿読取部１１、原稿搬送部１２が操作されていないことによって、制御部１０が認識することができる。この場合、制御部１０は、これらの画像ファイルに対して、主ファイル名を共通とする。以下の例では、主ファイル名は「ｓａｍｐｌｅｄｏｃ」であるものとする。
【００２３】
上記の設定識別コードは、原稿読取部１１におけるパラメーター設定の内容に応じて定められ、共通するヘッダーとして「＿」が用いられる。実際の複合機においてはより多くの項目でパラメーターが設定されるが、ここでは、単純化してこの項目が、色の設定、画像の向きの設定、解像度の設定の３つであるものとする。上記の色の設定は、「カラー」、「白黒」、「グレースケール」の３種類であるものとし、「カラー」に対応する設定識別コードが「＿ｃｌ」、「白黒」に対応する設定識別コードが「＿ｂｗ」、「グレースケール」に対応する設定識別コードが「＿ｇｒ」であるものとする。
【００２４】
また、画像の向きの設定としては、「ｐｏｒｔｒａｉｔ」（縦向き）、「ｌａｎｄｓｃａｐｅ」（横向き）の２種類があり、「ｐｏｒｔｒａｉｔ」に対応する設定識別コードが「＿ｐｏｒｔ」、「ｌａｎｄｓｃａｐｅ」に対応する設定識別コードが「＿ｌａｎｄ」であるものとする。解像度の設定は、ここでは２００、４００、６００ｄｐｉの３種類であるものとし、これらの各々に対応する設定識別コードは、「＿２００」、「＿４００」、「＿６００」であるものとする。
【００２５】
制御部１０は、画像ファイルに付与するファイル名として、上記の主ファイル名に対して上記の設定識別コードを付加したものを設定する。ただし、上記のようにこれらのパラメーター設定においてデフォールトとなる設定が存在している場合には、デフォールトから変更された項目のみを示すだけで十分である。上記の例においては、色の設定が「白黒」、画像の向きの設定が「ｐｏｒｔｒａｉｔ」、解像度の設定が２００ｄｐｉが、デフォールトであるものとする。
【００２６】
こうした場合において、実施例として、同一の原稿に対して、１回目は「白黒」、「ｐｏｒｔｒａｉｔ」、２００ｄｐｉ（デフォールト設定）、２回目が「カラー」、「ｐｏｒｔｒａｉｔ」、２００ｄｐｉ（デフォールトから色の設定のみを変更）、３回目が「カラー」、「ｌａｎｄｓｃａｐｅ」、２００ｄｐｉ（デフォールトから色の設定、画像の向きを変更）、４回目が「カラー」、「ｌａｎｄｓｃａｐｅ」、２００ｄｐｉ（３回目と同じ）、５回目が「白黒」、「ｌａｎｄｓｃａｐｅ」、４００ｄｐｉ（デフォールトから用紙の向き、解像度を変更）とした場合における画像ファイルの具体的なファイル名について以下に説明する。
【００２７】
１回目のパラメーター設定はデフォールトと変わらないため、ファイル名は、主ファイル名である「ｓａｍｐｌｅｄｏｃ］に対して、新たに設定識別コードを付与することは不要である。このため、１回目の画像ファイル名は、「ｓａｍｐｌｅｄｏｃ．ＪＰＥＧ」とされる。
【００２８】
２回目のパラメーター設定においては、色の設定が「カラー」とされた点がデフォールトと異なるため、主ファイル名に対して設定識別コード「＿ｃｌ」が付与され、２回目のファイル名は、「ｓａｍｐｌｅｄｏｃ＿ｃｌ．ＪＰＥＧ」とされる。
【００２９】
３回目のパラメーター設定においては、色の設定が「カラー」とされた点、画像の向きが「ｌａｎｄｓｃａｐｅ」とされた点がデフォールトと異なるため、主ファイル名に対して設定識別コード「＿ｃｌ」、「＿ｌａｎｄ」が付与され、３回目のファイル名は、「ｓａｍｐｌｅｄｏｃ＿ｃｌ＿ｌａｎｄ．ＪＰＥＧ」とされる。
【００３０】
４回目のパラメーター設定は３回目と同様であるため、４回目のファイル名は、３回目と同一であり、「ｓａｍｐｌｅｄｏｃ＿ｃｌ＿ｌａｎｄ．ＪＰＥＧ」とされる。このため、この画像ファイルは３回目の画像ファイルに対して上書きされ、これによって３回目の画像ファイルは消去される。ただし、これらの画像ファイルは、同一の原稿に対して同一のパラメーター設定を行うことによって生成されたものであるため、これによる問題は発生しない。ただし、制御部１０がこのように同一ファイル名の画像ファイルが存在していると認識した場合には、新たな識別子として「（１）」を追加して４回目のファイル名を「ｓａｍｐｌｅｄｏｃ＿ｃｌ＿ｌａｎｄ（１）．ＪＰＥＧ」として、こうした上書きを防止することもできる。あるいは、画像ファイルを記憶部１３に記憶させる前に、タッチパネルディスプレイ１４を介して、ユーザーに同一ファイル名の画像ファイルが存在する旨を警告してもよい。
【００３１】
５回目のパラメーター設定においては、画像の向きが「ｌａｎｄｓｃａｐｅ」、解像度が４００ｄｐｉとされた点がデフォールトと異なるため、主ファイル名に対して設定識別コード「＿ｌａｎｄ」、「＿４００」が付与され、５回目のファイル名は、「ｓａｍｐｌｅｄｏｃ＿ｌａｎｄ＿４００．ＪＰＥＧ」とされる。
【００３２】
上記の場合には、結局、記憶部１３に「ｓａｍｐｌｅｄｏｃ．ＪＰＥＧ」、「ｓａｍｐｌｅｄｏｃ＿ｃｌ．ＪＰＥＧ」、「ｓａｍｐｌｅｄｏｃ＿ｃｌ＿ｌａｎｄ．ＪＰＥＧ」、「ｓａｍｐｌｅｄｏｃ＿ｌａｎｄ＿４００．ＪＰＥＧ」の４つの画像ファイル（あるいは更に「ｓａｍｐｌｅｄｏｃ＿ｃｌ＿ｌａｎｄ（１）．ＪＰＥＧ」を加えた５つ）が記憶される。ユーザーは、これらの画像ファイルのファイル名を見ることだけによって、各画像ファイルを得た際のパラメーター設定の内容を認識することができる。この際、設定識別コードとなる部分は、ヘッダーとなる「＿」によって認識することができる。
【００３３】
図２は、原稿読取部１１で画像データを取得してから画像ファイルを記憶部１３に記憶させるまでの制御部１０の動作を示すフローチャートである。この動作は、原稿読取部１１が２次元画像データを取得した（Ｓ１）毎に行われる。この場合には、このデータは記憶部１３以外の一時的なメモリに記憶される。ここでは、まず、ユーザー又は制御部１０によって設定された主ファイル名がファイル名の初期設定として認識する（Ｓ２）。その後は、複数ある設定項目毎に、パラメーターが初期状態から変更されたか否か（Ｓ３）をチェックし、変更があれば、該当する設定識別コードをファイル名の語尾に付加する（Ｓ４）。この動作は、全ての項目について繰り返される（Ｓ５）。全ての項目についてのチェックが終了したら、このファイル名で画像データを画像ファイルとして記憶させる（Ｓ６）。
【００３４】
また、上記の例では１回目の設定がデフォールトと等しいものとされたが、連続して画像ファイルを生成する際に上記のようなデフォールト設定を特に考慮せずに、初めの画像ファイルを生成した際の設定をデフォールトであるとしてもよい。この場合には、1回目のファイル名は常に主ファイル名のみからなり、設定識別コードが付与されることはない。一方、2回目以降のファイル名においては、上記と同様に設定識別コードが付与される。この場合においては、連続して画像ファイルを生成せずに1回のみ画像ファイルを生成する場合には、ファイル名は常にユーザーの指定した主ファイル名のみからなるものとなる。このため、１回のみ画像ファイルを生成する場合にはこの画像読取装置１においては従来の画像読取装置と変わらない動作が行われ、連続して画像ファイルを生成する場合においてのみ上記のような動作が行われる。上記の例においてこの方法を適用した場合の1〜５回目のファイル名は、上記の場合とそれぞれ同一となる。
【００３５】
なお、上記の例においては、各画像ファイルにおいて、デフォールトから変更された項目の設定識別コードが付与された。設定識別コードを付与する方式として、他の方法を用いることもできる。例えば、前記のように５回の画像データ取得を続けて行った場合には、デフォールトから変更された項目ではなく、直前の画像データ取得の際から変更された項目の設定識別コードを付与してもよい。
【００３６】
この場合における画像ファイルのファイル名は、１回目が基準となるために１回目を「ｓａｍｐｌｅｄｏｃ．ＪＰＥＧ」とする点は上記と同様であり、２回目は「ｓａｍｐｌｅｄｏｃ＿ｃｌ．ＪＰＥＧ」、３、４回目は「ｓａｍｐｌｅｄｏｃ＿ｌａｎｄ．ＪＰＥＧ」、５回目が「ｓａｍｐｌｅｄｏｃ＿ｂｗ＿４００．ＪＰＥＧ」となる。この場合には、ユーザーは、ある画像ファイルとその直前の画像ファイルとの違いとパラメーター設定の違いをより認識しやすくなる。
【００３７】
また、上記のようにパラメーター設定において、デフォールトとなる設定が存在しない、あるいはデフォールトの設定が外部のパーソナルコンピューターがある環境からは不明である場合においては、上記の全ての場合において、各項目がどのように設定されているかを明示することが好ましい。このためには、上記の３つの項目の全てについての設定を設定識別コードとしてファイル名に追記することが好ましい。
【００３８】
こうした場合には、画像ファイルのファイル名は、１回目は「ｓａｍｐｌｅｄｏｃ＿ｂｗ＿ｐｏｒｔ＿２００．ＪＰＥＧ」、２回目は「ｓａｍｐｌｅｄｏｃ＿ｃｌ＿ｐｏｒｔ＿２００．ＪＰＥＧ」、３、４回目は「ｓａｍｐｌｅｄｏｃ＿ｃｌ＿ｌａｎｄ＿２００．ＪＰＥＧ」、５回目が「ｓａｍｐｌｅｄｏｃ＿ｂｗ＿ｌａｎｄ＿４００．ＪＰＥＧ」となる。この場合には、パラメーター設定は常に明らかとなる一方で、ファイル名が長くなるために、この画像ファイルをパーソナルコンピューター等で使用する際に、ユーザーにとって区別がしにくくなる。また、上記の例ではパラメーター設定が行われる項目が３つであるとしたが、この項目が多い場合には、特にファイル名が長くなり、画像ファイルの取り扱いが難しくなる場合がある。
【００３９】
このため、特にパラメーターが設定される項目の数が多い場合には、デフォールトからの変更があった項目のみ、あるいは直前のデータ取得からの変更があった項目のみの設定識別コードを付加することが、より好ましい。
【００４０】
なお、上記の設定において、設定識別コードは項目に応じて予め定められる。この際、異なる項目において同一となる設定識別コードが存在しないように、設定識別コードを設定することが好ましい。このためには、設定識別コードを構成する文字数は、上記のように３文字以上とすることが好ましい。この際、上記の例においては、ファイル名を構成する文字列のうちで設定識別コードに対応する部分を明示させるために、設定識別コードのヘッダーとして「＿」が用いられている。これにより、上記のどの場合のファイル名においても、各設定識別コードを容易に認識することができる。このようなヘッダーとしては、主ファイル名中に含まれる可能性が低い、あるいは使用禁止とした文字を適宜設定することができる。
【００４１】
あるいは、ファイル名に付与する設定識別コードをユーザーが選択可能としてもよい。パラメーター設定の項目が多い場合には、ファイル名が特に長くなる場合がある。こうした場合において、設定したパラメーターに関する情報のうち、ユーザーにとって有益な情報のみを選択してファイル名に反映させることによって、ファイル名を必要最小限の長さにすることができる。例えば、前記のように、「色」、「画像の向き」、「解像度」の、３種類の設定がある場合において、画像を見ただけでユーザーが認識することのできる色の設定についての情報は不要であるとユーザーが判断した場合には、「色」に関する設定識別コードの付与を行わせずに、その分ファイル名を短くすることができる。
【００４２】
また、上記の例では、ネットワークやＵＳＢメモリを介して画像ファイルが画像読取装置の外部から読み出される構成とされたが、ファイル名によってユーザーに画像ファイルの識別を行わせる画像読取装置であれば、上記の構成は有効である。
【００４３】
１  画像読取装置
１０  制御部（制御手段）
１１  原稿読取部(原稿読取手段）
１２  原稿搬送部
１３  記憶部（記憶手段）
１４  タッチパネルディスプレイ
１５  ネットワーク接続部
１６  入出力部
【図１】
2019169858.tif 000003
【図２】
2019169858.tif 000004